(57)【要約】      （修正有）【課題】サッシの溝・ソファーの隙間等の狭い場所・隅を確実・快適に掃除可能とする掃除機ヘッドを提供する。【解決手段】掃除機ヘッド１０は、本体部１、一対のノズル２群及びブラシ４Ｂ群を有する。本体部１は、一端部１Ａから中央部１Ｂを経て掃除機に接続可能な他端部１Ｃに至るまで、掃除機によって吸い込み可能に配設された中空内部空間１ＳＰを有する。一対のノズル２は、一端部よりＹ方向に関して互いに対向しつつＺ方向に延在する弾性体の２つのノズルより成り、Ｘ方向に一定間隔で並設されている。ノズル２は、内部空間１ＳＰに導通した中空貫通路２ＳＰと、最先端部２ＴＰより一端部１Ａに向けて鋭角θで傾斜した断面２ＥＳを有する先端部２ＥＰを有する。一対のノズル２のそれぞれの断面２ＥＳの傾斜方向２ＩＤは互いにＺ方向軸２ＣＡに関して線対称にある。隣り合う一対のノズル２間には、長さＬＢの毛４より成るブラシ４Ｂが配設されている。【選択図】図２
0003200339.tif 000002
【実用新案登録請求の範囲】
【請求項１】
一端部及び掃除機に接続可能な他端部を有し且つ前記一端部から前記他端部まで亘って前記掃除機によって吸い込み可能に配設された中空の内部空間を有する本体部と、
前記本体部の前記一端部より、前記一端部の長手方向に直交する短手方向に関して互いに対向しつつ、突出・延在する弾性体の一対のノズルと
を備えており、
前記一対のノズルの各々は、
前記本体部の前記内部空間に導通した中空の貫通路と、
最先端部より前記本体部の前記一端部に向けて鋭角で傾斜した断面を有する先端部と
を備えており、
前記一対のノズルの一方の前記先端部の前記断面の傾斜方向と、前記一対のノズルの他方の前記先端部の前記断面の傾斜方向とは、前記一対のノズルの延在方向に関して線対称にあることを特徴とする、掃除機ヘッド。
【請求項２】
請求項１に記載の掃除機ヘッドであって、
前記本体部の前記一端部より、前記一端部の前記長手方向に関して前記一対のノズルに対向しつつ且つ前記一端部の前記短手方向に関して互いに対向しつつ、突出・延在する弾性体の隣の一対のノズルと、
前記一対のノズルと前記隣の一対のノズルとの間に、前記一対のノズル及び前記隣の一対のノズルよりも長く延在する様に配設されている第１ブラシと
を更に備えることを特徴とする、掃除機ヘッド。
【請求項３】
請求項２に記載の掃除機ヘッドであって、
前記一対のノズル、前記隣の一対のノズル及び前記第１ブラシの周囲を被覆する様に前記一対のノズル及び前記隣の一対のノズルの前記延在方向に沿って延在する、前記本体部の前記一端部に対して着脱自在に配設される第２ブラシ
を更に備えることを特徴とする、掃除機ヘッド。
【考案の詳細な説明】
【技術分野】
【０００１】
本考案は、掃除機に接続して使用される清掃具としての掃除機ヘッドに関する。
【背景技術】
【０００２】
掃除機に接続して「はたき」として使用可能な種々の清掃具ないしは掃除機ヘッドが提案され、市場に於いて所謂「ハボキ」として販売されている。例えば、掃除機に接続可能な中空の接続具、中空の把手及び基台を有しており、上記基台の先端部に中空の可撓性を有する複数の叩き棒が取り付けられ、更に、各叩き棒の先端部にブラシの毛が取り付けられた清掃具が提案されている（特許文献１参照）。この清掃具に於いては、上記把手を把持して上記基台を振り動かすことで上記複数の叩き棒が塵埃を吸い込み可能な「はたき」として機能する。
【先行技術文献】
【特許文献】
【０００３】
【特許文献１】特開２０１０−１１９４９４号公報
【考案の概要】
【考案が解決しようとする課題】
【０００４】
上記の清掃具は、各叩き棒及びブラシの揺り動かしによって、比較的広い面積の清掃箇所或いは障子の桟の様な比較的広い凹凸状箇所に積もった塵・埃を叩きだして、掃除機により吸引・捕集することが出来る点では、便利な道具である。
【０００５】
しかしながら、上記の清掃具を含めて、提案・販売されている従来の掃除機ヘッドとしての清掃具に於いては、サッシの溝又はソファーの隙間等の比較的狭い清掃箇所の各部、特にコーナー部分ないしは角部分及び面通しに構成される隅の部分に存在するゴミ・塵・埃等を効率良く確実に掃除機で吸い込んで掃除することが容易ではないという問題点が存在する。
【０００６】
更には、隅等の部分を効率良く掃除することが出来ると共に、用途に応じて、網戸等の網目部分又はエアコンのフィルタ等の網目部分に堆積した塵・埃等をも併せて効率良く確実に掃除することが出来る掃除機ヘッドの実現も望まれるところである。
【０００７】
この考案は斯かる課題認識を踏まえて成されたものであって、その主目的は、サッシの溝又はソファーの隙間等の比較的狭い清掃箇所の各部及びコーナー部分を成す隅の部分に存在するゴミ・塵・埃等を効率良く確実に掃除機で吸い込んで掃除することが可能な掃除機ヘッドを提供することにある。
【０００８】
更に、この考案の副次的目的は、用途に応じて臨機応変に、フィルタ等の網目部分等の比較的広い面積を有する清掃箇所に対しても効率良く且つ確実にゴミ・塵・埃等を掃除することが出来る機能を選択的に利用することが出来る掃除機ヘッドを提供することにある。
【課題を解決するための手段】
【０００９】
本考案の主題に係る掃除機ヘッドは、一端部及び掃除機に接続可能な他端部を有し且つ前記一端部から前記他端部まで亘って前記掃除機によって吸い込み可能に配設された中空の内部空間を有する本体部と、前記本体部の前記一端部より、前記一端部の長手方向に直交する短手方向に関して互いに対向しつつ、突出・延在する弾性体の一対のノズルとを備えており、前記一対のノズルの各々は、前記本体部の前記内部空間に導通した中空の貫通路と、最先端部より前記本体部の前記一端部に向けて鋭角で傾斜した断面を有する先端部とを備えており、前記一対のノズルの一方の前記先端部の前記断面の傾斜方向と、前記一対のノズルの他方の前記先端部の前記断面の傾斜方向とは、前記一対のノズルの延在方向に関して線対称にあることを特徴とする。
【考案の効果】
【００１０】
本考案の主題に係る掃除機ヘッドの他端部を掃除機に接続して掃除する場合に於いては、サッシ等の溝或いはソファー等の細かい隙間等の様な相対的に狭い場所、及び、面と面とのコーナー部分等の隅の場所に、本体部の一端部より延びる、先端部が鋭角に傾斜した中空の一対のノズルを速やかに移動して容易に配置ないしは挿入することが出来る。しかも、当該一対のノズルのそれぞれのノズル先端部の傾斜した断面の傾斜方向は互いに線対称の位置関係となる様に、両ノズル先端部の傾斜断面はカットされている。そして、一対のノズルのそれぞれは、共に、ＴＰＥ（熱可塑性エラストマー）の様な弾性を呈する素材より構成されているため、本体部の一端部より加えられる応力によって容易に撓んで上記の狭い場所・隅の場所で湾曲し得る。そのため、溝・隙間等の相対的に狭い場所の隅部分を成す各面に、一対のノズルのそれぞれのノズルの先端部の傾斜断面が柔軟に撓んで当接され、各ノズルの先端部の最先端部は、当該隙間部の奥深くまで入り込むこととなる。その結果、上記相対的に狭い場所の隅部分に於けるゴミ・塵・埃を、確実に、一対のノズル及び本体部を介して、掃除機により吸い込んで清掃することが出来、ソファーの隙間或いはサッシの溝等の狭い場所の掃除を快適且つ容易に行うことが可能となる。特に、各ノズルの先端部の断面の傾斜角度が４５°の鋭角に設定されている場合には、隅部分を成す両面が直交している場合に、それぞれのノズルの先端部の傾斜断面が隅部分を成す面に密着して当接する状態となるため、より一層、快適且つ容易に狭い場所の掃除を行うことが出来る。
【００１１】
更に、一対のノズルとその隣の一対のノズルとの間にブラシを設ける場合には、このブラシが、一対のノズルによる上記隅部分のゴミ等の吸い込み掃除の際に、当該隅部分のゴミ等を掻き出しながら掃くこととなるので、より一層に綺麗に当該隅部分を掃除することが出来る。
【００１２】
以下、本考案の様々な具体化を、添付図面を基に、その効果・利点と共に、詳述する。
【図面の簡単な説明】
【００１３】
【図１】本考案の実施の形態１に係る掃除機ヘッドの構成を模式的に示す正面図である。
【図２】本考案の実施の形態１に係る掃除機ヘッドの構成を模式的に示す側面図である。
【図３】着脱自在な第２ブラシが装着された状態での本考案の実施の形態１に係る掃除機ヘッドを模式的に示す斜視図である。
【図４】本考案の実施の形態１に係る掃除機ヘッドの利用方法及び利点を模式的に示す図である。
【考案を実施するための形態】
【００１４】
（実施の形態１）
＜掃除機ヘッドの構造上の特徴点の概要＞
【００１５】
本実施の形態に係る掃除機ヘッドの構造上の特徴点は、大要、以下の３点にある。
【００１６】
１）掃除機ヘッドの本体部の一端部に設けられた、弾性を呈する複数のノズルの各々の先端部は、鋭角の傾斜角度で斜めにカットされている。しかも、互いに幅方向（短手方向）に対して背を向けて対向する２つのノズルのペアに於ける各ノズルのカット面の傾斜方向は、互いに対称的である。即ち、一対のノズルに於いて、一方のノズルのカット面の傾斜方向は右斜め方向であり、他方のノズルのカット面の傾斜方向は左斜め方向である。この様な１対のノズルが、横方向（長手方向）に、順次に並設ないしは併設されている。
【００１７】
２）上記複数の１対のノズルに於いて、隣接し合う１対のノズル同士の間には、各ノズルの長さよりも長い、複数のブラシ毛より成る第１ブラシが、設けられている。
【００１８】
３）掃除機ヘッドの本体部の一端部には、着脱自在な、各第１ブラシのブラシ毛の長さ以上の長さを有するブラシ毛より成る第２ブラシが、配設可能である。
【００１９】
以下、図面を参照しつつ、これらの特徴点を具現化する掃除機ヘッドの詳細な構成を記載する。
【００２０】
＜掃除機ヘッドの構成の詳細＞
図１は、本実施の形態に係る掃除機ヘッド１０の構成を模式的に示す正面図である。又、図２は、図１の矢印Ａ１の方向から掃除機ヘッド１０を眺めた際の掃除機ヘッド１０の構成を模式的に示す左側面図である。更には、図３は、利用形態に応じて臨機応変に着脱され得る第２ブラシ５Ｂの構成を模式的に示す図である。
【００２１】
Ａ．本体部１：
図１及び図２に於いて、掃除機ヘッド１０の本体を成す本体部１は、第１部分である一端部１Ａ、第２部分である中央部１Ｂ及び第３部分である他端部１Ｃより構成される。例えば、本体部１の一端部１Ａ及び中央部１Ｂは、ＡＢＳ樹脂の様なプラスチックより成る。又、例えば、本体部１の他端部１Ｃは、熱可塑性樹脂のポリプロピレンを素材として用いたプラスチックより成る。特に、図２に於いて破線１ＳＰで示される通り、本体部１は、一端部１Ａから中央部１Ｂを経て他端部１Ｃに至るまで配設された中空の内部空間１ＳＰを有する。そして、本体部１の他端部１Ｃは、外部の掃除機（図示せず。）に接続される接続パイプとしての部分である。そのために、他端部１Ｃは、上記掃除機の吸い込みホース部に接続可能に設定された外径又は内径を有する。従って、人が掃除機ヘッド１０を利用した掃除を行う際に、他端部１Ｃが上記掃除機に接続される場合には、本体部１の全体的に中空な内部空間１ＳＰは、上記掃除機によって吸い込み可能な空間を成す。
【００２２】
Ｂ．ノズル２：
更に、図１及び図２に示される通り、本体部１の一端部１Ａには、当該一端部１Ａより突出しつつ両方向Ｘ，Ｙに直交する延在方向Ｚに沿って延在する複数の１対のノズル２が、配設されている。各ノズル２は、例えばゴム材の様な弾性体より成り、当該弾性に起因して、外部から印加される応力によって自在に撓んで湾曲し得る。例えば、各ノズル２は、常温でゴムの特性を呈するＴＰＥ（熱可塑性エラストマー）の素材より構成される。しかも、図２に於いて破線１ＳＰに繋がった破線２ＳＰで示される様に、各ノズル２は、本体部１の内部空間１ＳＰに導通した中空の貫通路２ＳＰを有する。この様に、弾性体の複数の一対のノズル２の各々は、その内部空間（貫通路２ＳＰ）が本体部１の内部空間１ＳＰに導通する態様で、本体部１の一端部１Ａに配設されている。この場合の各ノズル２の本体部１の一端部１Ａへの配設ないしは結合の方法としては種々の態様での方法が可能であって、それは任意である。例えば、本体部１の一端部１Ａには、内部空間１ＳＰに繋がった、ノズル２の数に応じた複数の貫通孔が配設されていて、各貫通孔に対応するノズル２が嵌合されることで、複数の一対のノズル２が一端部１Ａに配設・結合される。
【００２３】
既述の通り、各ノズル２の先端部は斜めにカットされており、短手方向（一端部１Ａの幅方向に該当。）Ｙに対して背を向けて対向する一対のノズル２同士のカット面２ＥＳの傾斜方向２ＩＤは互いに線対称の関係にある。この点の構造を詳述すれば、次の通りである。
【００２４】
先ず、一対のノズル２が、一端部１Ａの長手方向（横方向に該当。）Ｘに直交する上記の短手方向Ｙに関して、互いに背を向け合う態様で対向している。そして、一対のノズル２の各々は、その最先端部２ＴＰより本体部１の一端部１Ａに向けて鋭角（角度は（９０°−θ）であり、０＜θ＜９０°の範囲内で任意である。）で傾斜した断面２ＥＳを有する先端部２ＥＰを備える。ここで、視覚化の観点から、図１に於いては、先端部２ＥＰの傾斜した断面２ＥＳは、ハッチングで表示されている。尚、後述する「利用時の利点」をより効果的に発揮させるという観点からは、好ましくは、角度（９０°−θ）は４５°に設定される。しかも、一対のノズル２の内の一方の先端部２ＥＰの断面２ＥＳの傾斜方向２ＩＤと、一対のノズル２の内の他方の先端部２ＥＰの断面２ＥＳの傾斜方向２ＩＤとは、一対のノズル２の延在方向Ｚの軸２ＣＡに関して、互いに線対称の関係にある。つまり、一方のノズル２の傾斜方向２ＩＤを軸２ＣＡに関して折り返せば、他方のノズル２の傾斜方向２ＩＤに一致する。この様は線対称の位置関係は、一対のノズル２を略直交する２面同士が成すコーナー部ないしは角部に押し当てた際に、一方のノズル２の断面２ＥＳが一方の面に当接し、他方のノズル２の断面２ＥＳが他方の面に当接して、両ノズル２の先端部２ＥＰが当該コーナー部に嵌まり込むことを、実現するものである。この点は、図４を用いた掃除機ヘッド１０の利用方法の記載箇所に於いて詳述される。
【００２５】
その上で、図１に示される様に、一対のノズル２が、一端部１Ａの長手方向Ｘに沿って、間隔ｄ毎で、図１に於ける一端部１Ａの最左端側から最右端側へ向けて、順次に並設されている。ここで、各ノズル２の長手方向Ｘに関する厚みＴは相等しく一定値であり、各ノズル２の延在方向Ｚに関する長さＬＡは相等しく一定値である。又、図１に示される様に、長手方向Ｘに配列して成る各ノズル２の先端部２ＥＰの断面２ＥＳの中央部は、当該ノズル２の中空の貫通路２ＳＰの一端部を成す。
【００２６】
そして、図２に示される様に、短手方向Ｙに対向する一対のノズル２の幅Ｗは、掃除対象の内で、サッシの溝の様な、狭い場所の間隔と比較して相対的に小さく成る様に、設定される。例えば、好ましい値として、一対のノズル２の幅Ｗは１．５ｃｍに設定される。この様に、相対的に細く延在した一対のノズル２が、幅広の刷毛を成す如く、長手方向Ｘに広がって一端部１Ａに配設されている。
【００２７】
Ｃ．第１ブラシ４Ｂ：
更に、図１及び図２に示される様に、本体部１の一端部１Ａには、第１ブラシ４Ｂが配設されている。即ち、或る一対のノズル２と、一端部１Ａの長手方向Ｘに関して当該一対のノズル２に対向する隣の一対のノズル２との間に、複数のブラシ毛４の束である第１ブラシ４Ｂが配設されている。しかも、第１ブラシ４Ｂは、当該一対のノズル２及びその隣の一対のノズル２の長さＬＡよりも長く延在しており、各ブラシ毛４の長さＬＢは長さＬＡよりも大きい。尚、各ブラシ毛４は、例えば、ナイロンより成る。
【００２８】
この様な長手方向Ｘに隣接し合う一対のノズル２間に位置する一端部１Ａの部分への第１ブラシ４Ｂの配設方法は、任意である。例えば、その様な配設方法として、図１及び図２に例示される様な、長手方向Ｘに隣接し合う一対のノズル２同士間に位置する一端部１Ａの部分に、台座部分３を固設しても良い。この場合、各台座部分３に複数のブラシ毛４の束の一端部が結合され、長さＬＢ＞長さＬＡと成る様に、各ブラシ毛４の先端を成す他端部と台座部分３側の一端部との間の長さが設定される。この第１ブラシ４Ｂは、複数の一対のノズル２が差しこまれた狭い部分にあるゴミ等を吐き散らす「ほうき」ないしは「はたき」として機能する部分である。
【００２９】
Ｄ．第２ブラシ５Ｂ
図３（ａ）は、掃除機ヘッド１０の本体部１の一端部１Ａの周囲に取付けられた、複数のブラシ毛５の束を有する第２ブラシ５Ｂを模式的に示す斜視図である。それに対して、図３（ｂ）は、上記の第２ブラシ５Ｂの裏側部分を示す背面図である。図３（ｂ）に示される様に、第２ブラシ５Ｂは、その中央部に、上記の複数の一対のノズル２の全て及び第１ブラシ４Ｂの全てを通り抜けさせ得る貫通孔５ＢＨを有している。
【００３０】
本実施の形態では、第２ブラシ５Ｂの本体部１への配設方法の一例として、図１及び図２に示される、一端部１Ａの周囲の側面と、中央部１Ｂとの間の段差部分１ＣＰが、利用される。即ち、第２ブラシ５Ｂの裏側の貫通孔５ＢＨが、一端部１Ａと中央部１Ｂとの間の段差部分１ＣＰに嵌合されることで、第２ブラシ５Ｂは、本体部１に取り付けられる。逆に、取り付けられている第２ブラシ５Ｂを本体部１の一端部１Ａから引き抜くことで、第２ブラシ５Ｂは本体部１から取り外される。この場合、第２ブラシ５Ｂは、その用途に応じて、本体部１に、着脱自在に取り付けられる。
【００３１】
ここで、図３（ａ）に示される様に、第２ブラシ５Ｂの内で、貫通孔５ＢＨの周囲部分５ＢＰＰに、その一端部５Ｅが固設されている各ブラシ毛５は、その先端を成す他端部まで、全ての一対のノズル２及び全ての第１ブラシ４Ｂの周囲を被覆する様に、一対のノズル２の延在方向Ｚに沿って、延在している。即ち、各ブラシ毛５の上記他端部（先端）から第２ブラシ５Ｂ自体の一端部ないしは底部までの長さＬＣは、長さＬＢに等しいか又はそれよりも大きい（ＬＣ≧ＬＢ）。尚、各ブラシ毛５は、例えば、ナイロンより成る。
【００３２】
以上の様な構造から、第２ブラシ５Ｂは、相対的に広い面積の部分を掃除する際の「はたき」ないしは「ほうき」として機能する。その際、第２ブラシ５Ｂの各ブラシ毛５の先端側の折れ曲がりによってノズル２の先端部２ＥＰの断面２ＥＳが露出して、先端部２ＥＰは、当該掃除対象部分の細かい網目等の部分を、掃除機の吸い込みを通じて、掃除する。
【００３３】
以下では、上記の構成を有する掃除機ヘッド１０の利用方法と、それに伴う利点とを、図４を参照しつつ記載する。
【００３４】
＜掃除機ヘッド１０の利用方法＆利点＞
【００３５】
図４（ａ）、図４（ｂ）及び図４（ｃ）の各図は、掃除機ヘッド１０の利用方法及び利点を拡大化して模式的に示す図である。尚、これらの図に於いて、サッシの各部分及びコーナー部分（隅）を成す壁面部分は、部分的断面として、ハッチング表示されている。
【００３６】
図４（ａ）は、例えば、障子の桟と比較して、サッシ・ソファー等の比較的狭くて細く延びた溝又は隙間Ｒの内部に挿入されている掃除機ヘッド１０の一対のノズル２及び第１ブラシ４Ｂの状態を示す。既述の通り、一対のノズル２の短手方向Ｙに於ける幅Ｗは、例えば１．５ｃｍという様に、小さい幅寸法値に設定されている。このため、一対のノズル２は、サッシの溝の様な比較的狭い溝・隙間Ｒの中に容易に、素早く、且つ確実に挿入され得る。しかも、一対のノズル２を成す各ノズル２の先端部２ＥＰの断面２ＥＳは鋭角θでカットされているので、貫通路２ＳＰの一端部である先端部２ＥＳは尖った形状を成し、以って、溝・隙間Ｒ内の側面ＲＳＳ及び底面ＲＢＳとの間に小さな隙間空間を作る。このため、一対のノズル２は、当該隙間空間を通じて、溝・隙間Ｒ内の各面、特に底面ＲＢＳ上に積もっているゴミ・塵・埃等を、確実に貫通路２ＳＰを通じて掃除機側へ吸い込ませて、溝・隙間Ｒ内の各部を清掃することが出来る。しかも、第１ブラシ４Ｂのブラシ毛４が各ノズル２の最先端部２ＴＰより突出している。このため、全ブラシ毛４は、それらの搖動によって、溝・隙間Ｒ内の各面、特に底面ＲＢＳ上に積もっているゴミ・塵・埃等を掻き出す作用を呈する。この掻き出しにより、溝・隙間Ｒ内のゴミ・塵・埃等は、各面ＲＳＳ，ＲＢＳより舞い上がって、各ノズル２の断面２ＥＳに於ける貫通路２ＳＰを介して、掃除機により吸い込まれ易くなる。
【００３７】
特に、図４（ｂ）は、図４（ａ）に示される狭い溝・隙間Ｒ内の清掃状態の特筆すべき利点を示す状態図である。即ち、各ノズル２がゴム等の弾性体より成るので、狭い溝・隙間Ｒ内に挿入された一対のノズル２の各先端部２ＥＰは、端部１Ａを通じて清掃者より加えられる力に応じて、溝・隙間Ｒ内の接触面側からの反発力を受けて、容易に撓んで狭い溝・隙間Ｒ内で湾曲し得る。この場合、第１ブラシ４Ｂの全ブラシ毛４もまた、一対のノズル２の撓みに追従して同様に撓んで、湾曲する。その結果、図４（ｂ）に示される様に、一対のノズル２を成す各ノズル２の先端部２ＥＰの断面２ＥＳは、それぞれ、狭い溝・隙間Ｒの隅を成す側面ＲＳＳ及び底面ＲＢＳに限りなく当接した状態となる。特に、各ノズル２の先端部２ＥＰの断面２ＥＳの傾斜角度が４５°に設定されている場合には、隅を成す側面ＲＳＳ及び底面ＲＢＳが略直交する場合に於いて、各ノズル２の先端部２ＥＰの断面２ＥＳは、側面ＲＳＳ及び底面ＲＢＳに密接した状態となる。この様な各ノズル２の先端部２ＥＰの断面２ＥＳの当接状態により、一対のノズル２の先端部２ＴＰ及び全ブラシ毛４の先端部は、狭い溝・隙間Ｒの隅側部分の奥深い箇所にまで届くこととなり、狭い溝・隙間Ｒの隅側部分のゴミ・塵・埃等をより一層確実に掻き出しながら吸い込んで、狭く細い溝・隙間Ｒの汚れを清掃することが出来る。従って、清掃者は、一対のノズル２及び第１ブラシ４Ｂを狭い溝・隙間Ｒ内に挿入して掃除機ヘッド１０を保持しつつ一対のノズル２を狭い溝・隙間Ｒ内で動かし続けるだけで、狭い溝・隙間Ｒを快適に且つ確実に掃除することが出来る。
【００３８】
図４（ｃ）も、図４（ｂ）と同様に、掃除機ヘッド１０の一対のノズル２を用いた掃除の際の利点を示す図である。この場合に於いても、直交する２側面ＳＳが作り出すコーナー部分ないしは隅部ＳＣＰに対して、２側面ＳＳに当接状態の一対のノズル２及び第１ブラシ４Ｂは、共に確実に入り込んで、隅部ＳＣＰに存在するゴミ・塵・埃等を掻き出しながら吸引して、隅部ＳＣＰの汚れを確実に且つ快適に掃除する。
【００３９】
以上の掃除機ヘッド１０の一対のノズル２を用いた掃除に加えて、清掃者は、用途に応じて、図３に示した第２ブラシ５Ｂを掃除機ヘッド１０の本体部１に装着することで、多面的な清掃作業をも行うことが出来る。即ち、本体部１に装着された第２ブラシ５を用いて、清掃者は、例えば、エアコンのフィルタ或いは網戸等の、多数の網目を有する比較的に広い面積を有する清掃対象物をも確実に且つ快適に掃除することが出来る。この場合、一方で、第２ブラシ５Ｂのブラシ毛５は、フィルタ等の網目全体の上に積もった埃等の汚れを叩き落とす。他方で、その際にブラシ毛５の束の先端部が撓んで僅かに曲がる場合には、ブラシ毛５の束で覆われていた各一対のノズル２の先端部２ＥＰが露出することとなり、その結果、各ノズル２の先端部２ＥＰの傾斜した断面２ＥＳが、そこに形成された貫通路２ＳＰを介して、フィルタ等の網目の各網目部分に積もった埃等を確実に吸引していく。
【００４０】
上記の記載より、本実施の形態に係る掃除機ヘッド１０の特徴的な使用形態及び利点を整理すれば、以下の通りとなる。
【００４１】
掃除機ヘッド１０は、細かい隙間・溝等に於ける汚れを掻き出して確実にゴミ等を吸い込んでいくことが出来る。例えば、ソファーの隙間、サッシの溝、キーボードの隙間、或いは、エアコンのフィルタなどの色々な清掃場所に対して、掃除機ヘッド１０を快適に使用することが出来る。
【００４２】
特に、各ノイズ２の先端部２ＥＰが斜め傾斜で鋭角にカットされているので（好ましくは４５°のカット角度）、各一対のノイズ２の先端部２ＥＰは狭い隙間等に容易に入り込んで、隅又は隙間のゴミ・埃等を効率良く吸い込むことが出来る。
【００４３】
しかも、向き（縦向き又は横向き）によっては掃除機ヘッド１０の幅寸法が異なるため、清掃場所に応じて当該幅を使い分けることで、清掃者は効率良く掃除をすることが出来る。
【００４４】
＜変形例＞
（１）既述の一対のノイズの数は少なくとも一つである。又、第１ブラシを設ける場合には、一対のノイズの数は少なくとも２つである。
【００４５】
（２）既述した第１ブラシを設けなくても良い。その意味で、第１ブラシの配設は任意事項である。
【００４６】
（３）又、着脱自在の上記の第２ブラシを設けることも任意である。
【００４７】
（４）更には、得られる利点は実施の形態１で述べた場合よりも減じることになるが、各一対のノイズのそれぞれのノイズの先端部の断面の傾斜角度（９０°−θ）を、延在方向に関して非線対称に設定しても良い。
【００４８】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００４９】
本考案に係る掃除機ヘッドは、掃除機に接続してサッシの溝等の狭い場所又は隅部分の掃除を行う際に適用して好適な掃除機ヘッドである。
【符号の説明】
【００５０】
１  本体部
１Ａ  一端部
２  ノズル
３  台座
４  ブラシ毛
４Ｂ  第１ブラシ
５  ブラシ毛
５Ｂ  第２ブラシ
Ｘ  長手方向
Ｙ  短手方向
【図１】
0003200339.tif 000003
【図２】
0003200339.tif 000004
【図３】
0003200339.tif 000005
【図４】
0003200339.tif 000006